(57)【要約】【課題】本発明は、情報のリストを、ｎ個のメッシュをカバーする少なくとも１つの基地局を含む地理的エリアの複数のメッシュに伝送して、複数のメッシュの中でメッシュ上に留まるユーザ装置がメッシュ内で利用可能なオペレータ及び／又はアクセス技術及び／又は通信周波数を選択できるようにするために使用されるコグニティブパイロットチャネル（ＣＰＣ）の帯域幅を削減する。【解決手段】方法は、基地局内及びユーザ装置内に実装される予測モジュールによって、メッシュ内で送信される情報のリストを予測するステップと、予測された情報のリストに基づいて、修正された情報のリストを生成するステップと、メッシュ内で修正される情報のリストのみをブロードキャストするステップとを含む。【選択図】図２
2012526406.tif 000002
【特許請求の範囲】
【請求項１】
基地局からの情報を、複数のメッシュを含むエリアにブロードキャストするために使用されるコグニティブパイロットチャネル（ＣＰＣ）の帯域幅を削減する方法であって、
前記基地局内及びユーザ装置（ＵＥ）内に実装される予測モジュールによって、前記ユーザ装置が位置するメッシュの情報のリストを予測するステップと、
予測された情報のリスト、及び前記ユーザ装置が位置するメッシュの実際の情報のリストに基づいて、修正された情報のリストを生成するステップと、
前記修正された情報のリストを前記基地局からブロードキャストするステップと
を含む方法。
【請求項２】
前記メッシュがＭｉ（ｉ＝１〜ｎ）（ｎは、整数である）であり、
前記予測ステップ、前記発生ステップ及び前記送信ステップが、各メッシュＭｉに関して実行される請求項１に記載された方法。
【請求項３】
前記エリア内で基準メッシュＭｒを定義するステップと、
前記基準メッシュＭｒの情報の基準リストを定義するステップと、
前記基準メッシュＭｒの情報の前記基準リストをブロードキャストするステップと
をさらに含む請求項１又は請求項２に記載された方法。
【請求項４】
前記情報のリストに、オペレータ及び／又は無線アクセス技術（ＲＡＴ）及び／又は利用可能な通信周波数が含まれる請求項１、２又は３に記載された方法。
【請求項５】
前記修正されるリストが、前記ＵＥによって予測されない情報を含む請求項１、２、３又は４に記載された方法。
【請求項６】
前記修正されるリストが、前記ＵＥによって予測される情報を含まないが、前記ＵＥによって検出不可能な情報を含む請求項１、２、３、４又は５に記載された方法。
【請求項７】
メッシュＭｉ（ｉ＝１〜ｎ）内でブロードキャストされる情報のリストの予測プロセスは、
メッシュＭｊ（ｊ＝１〜ｉ）の基地局によって以前ブロードキャストされた情報のリストに存在する前記オペレータ及び／又は前記ＲＡＴ及び／又は無線周波数の発生数を算出するステップと、
前記発生数の閾値Ｔを定義するステップと、
前記発生数が前記閾値Ｔを超える場合に、ブロードキャストされる前記メッシュＭｉ（ｉ＝１〜ｎ）の修正された情報のリストに、前記オペレータ及び／又は前記ＲＡＴ及び／又は前記無線周波数を含めるステップとを含む請求項４、５又は６に記載された方法。
【請求項８】
前記発生数が、閾値Ｔよりも大きい場合、かつ前記オペレータ及び／又は前記ＲＡＴ及び／又は前記無線周波数が、前記メッシュＭｉ（ｉ＝１〜ｎ）に対して事前定義された位置に存在する場合に、前記オペレータ及び／又は前記ＲＡＴ及び／又は無線周波数が、前記メッシュＭｉ（ｉ＝１〜ｎ）内に存在すると予測する請求項７に記載された方法。
【請求項９】
基地局からの情報を、複数のメッシュを含むエリアに送信するために使用されるコグニティブパイロットチャネル（ＣＰＣ）の帯域幅を削減する基地局であって、
前記基地局内及びユーザ装置（ＵＥ）内に実装される予測モジュールによって、前記ユーザ装置が位置するメッシュの情報のリストを予測する手段と、
予測された情報のリスト、及び前記ユーザ装置が位置するメッシュの実際の情報のリストに基づいて、修正された情報のリストを生成する手段と、
前記修正された情報のリストをブロードキャストする手段とを備えた基地局。
【請求項１０】
前記メッシュが、Ｍｉ（ｉ＝１〜ｎ）（ｎは、整数である）であり、かつ前記予測手段、前記発生手段及び前記送信手段が、各メッシュＭｉに関して処理を行う請求項９に記載された基地局。
【請求項１１】
前記エリア内で基準メッシュＭｒを定義する手段と、
ブロードキャストする前記基準メッシュＭｒの情報の基準リストを定義する手段と、
前記基準メッシュＭｒの前記基準リストをブロードキャストする手段とをさらに備えた請求項９又は１０に記載された基地局。
【請求項１２】
前記情報のリストに、オペレータ及び／又は無線アクセス技術（ＲＡＴ）及び／又は利用可能な通信周波数が含まれる請求項９、１０又は１１に記載された基地局。
【請求項１３】
前記ＵＥによって予測されない情報のみを含む修正されたリストを生成するために前記予測されるリストをフィルタリングする手段をさらに備えた請求項９、１０、１１又は１２に記載された基地局。
【請求項１４】
ＵＥによって予測される情報を含まないが、前記ＵＥによって検出不可能な情報を含む修正されたリストを生成するために、前記予測されるリストをフィルタリングする手段をさらに備えた請求項９、１０、１１、１２又は１３に記載された基地局。
【請求項１５】
基地局によってカバーされる複数のメッシュを含むエリア内に位置するユーザ装置であって、前記基地局が、メッシュの情報のリストを伝達するコグニティブパイロットチャネル（ＣＰＣ）をブロードキャストし、
前記ＵＥが位置する場所で、送信される情報のリストを予測する予測モジュールを含み、前記予測モジュールが前記基地局内と同様に実装されているユーザ装置。
【請求項１６】
前記情報のリストに、オペレータ及び／又は無線アクセス技術（ＲＡＴ）及び／又は利用可能な通信周波数が含まれる請求項１５に記載されたユーザ装置。
【請求項１７】
前記予測モジュールが、前記ＵＥによって予測されない情報を含む修正される情報のリストを算出する請求項１５又は１６に記載されたユーザ装置。
【請求項１８】
前記予測モジュールが、前記ＵＥによって予測される情報を含まないが前記ＵＥによって検出不可能な情報を含む修正された情報のリストを算出する請求項１５、１６又は１７に記載されたユーザ装置。
【発明の詳細な説明】
【技術分野】
【０００１】
本発明は、電気通信分野に関し、基地局（４）からの情報を、複数のメッシュＭｉ（ｉ＝１〜ｎ）（ｎは、整数である）を含む地理的エリアに送信して、地理的エリアのメッシュ内に位置するユーザ装置が、メッシュ内で利用可能なオペレータ及び／又はアクセス技術及び／又は通信周波数を選択できるようにするために使用されるコグニティブパイロットチャネル（ＣＰＣ）の帯域幅を削減する方法であって、
−  地理的エリア内で基準メッシュＭｊを定義するステップと、
−  基準メッシュＭｊ内で送信（ブロードキャスト：broadcast ）する情報の基準リストを定義するステップと、
−  基準メッシュＭｊ内で基準リストをブロードキャストするステップとを含む方法に関する。
【０００２】
本発明は、地理的エリアのメッシュ内に位置するユーザ装置が、メッシュ内で利用可能なオペレータ及び／又はアクセス技術及び／又は通信周波数を選択できるようにするために、複数のメッシュＭｉ（ｉ＝１〜ｎ）（ｎは、整数である）を含む地理的エリア内で利用可能なオペレータ、アクセス技術及び無線周波数に関する情報のリストをブロードキャストするコグニティブパイロットチャネル（ＣＰＣ）を送信する基地局であって、
−  地理的エリア内で基準メッシュＭｊを定義する手段と、
−  基準メッシュＭｊ内でブロードキャストする情報の基準リストを定義する手段と、
−  基準メッシュＭｊ内で前記基準リストをブロードキャストする手段とを含む基地局（４）にも関する。
【０００３】
本発明は、さらに、ユーザ装置（ＵＥ）であって、複数のメッシュＭｉ（ｉ＝１〜ｎ）（ｎは、整数である）と、ユーザ装置が、ＵＥが位置するメッシュ内で利用可能なオペレータ及び／又はアクセス技術及び／又は通信周波数を選択できるようにするために、メッシュＭｉ（ｉ＝１〜ｎ）内のオペレータ、アクセス技術及び無線周波数に関する情報のリストを伝達するコグニティブパイロットチャネル（ＣＰＣ）をブロードキャストする基地局とを含む地理的エリア内に位置するユーザ装置に関する。
【背景技術】
【０００４】
コグニティブパイロットチャネル（ＣＰＣ）は、地理的エリア内で利用可能なオペレータ、無線アクセス技術（ＲＡＴ）及び利用可能な周波数に関してコグニティブ移動体に情報を提供するためのコグニティブ無線で使用される概念である。
【０００５】
コグニティブパイロットチャネルの２つの主要概念が、Ｅ３プロジェクト及びＥＴＳＩ  ＲＲＳ  Ｇｒｏｕｐによって提案されている：メッシュベース、かつ最適化送信アプローチである。
−  メッシュベースの概念：地理的エリア内のセルが複数のメッシュに分割され、かつ各メッシュ内で利用可能なオペレータ、ＲＡＴ及び周波数に関する情報が提供される。
−  最適化送信の概念：セル内で利用可能な全てのＲＡＴ及び周波数に関する情報が伝送される。
【０００６】
メッシュベースの概念は、最適化送信の概念よりも厳密であるが、メッシュへの情報送信が、ＣＰＣに割り当てられる広い周波数帯域を必要とすることに基づく欠点を有する。
【０００７】
ＣＰＣデータの転送速度を減少させるために提案された方法の１つは、セルのメッシュ対応にでなく、セル全体のために同じＣＰＣを送信し、かつ各技術及び周波数のカバーエリアを伝達することである。この種のアプローチに関する問題は、カバーエリアが、容易に特徴付けられないことであり、かつ詳細なカバーエリアを伝達することは、高いデータ速度を生起することである。
【発明の概要】
【発明が解決しようとする課題】
【０００８】
本発明は、ＣＰＣデータの転送速度を減少させることを目的とする。
【０００９】
本発明のもう１つの目的は、同じビットレートでメッシュ情報の発生間隔を短縮することを可能にするために、ＣＰＣメッセージの長さを減少させることである。
【００１０】
本発明の他の目的は、ＣＰＣメッセージのロバスト性を向上させながら、ＣＰＣ使用に要求される帯域幅を削減することである。
【課題を解決するための手段】
【００１１】
本発明は、隣接メッシュが、通常、僅かな周波数だけ相違することに基づく。
【００１２】
従って、本発明による方法における基本概念は、毎回情報全体を伝送する代わりに、最初に全情報を基準メッシュに送信し、その後に地理的エリアの他の各メッシュに送信する情報を予測することである。
【００１３】
この目的は、地理的エリアのメッシュ内に位置するユーザ装置がメッシュＭｉ（ｉ＝１〜ｎ）内で利用可能なオペレータ及び／又は無線アクセス技術及び／又は無線周波数を選択できるようにするために、基地局からの情報を複数のメッシュＭｉ（ｉ＝１〜ｎ）（ｎは、整数である）を含む地理的エリアに送信するために使用されるコグニティブパイロットチャネル（ＣＰＣ）の帯域幅を削減する方法であって、
−  前記地理的エリア内で基準メッシュＭｊを定義するステップと、
−  前記基準メッシュＭｊ内で送信する情報の基準リストを定義するステップと、
−  前記基準メッシュＭｊ内で前記基準リストを送信するステップとを含み、
−  基地局内及びユーザ装置内に実装される予測モジュールによって、前記メッシュ内で送信される情報のリストを予測するステップと、
−  予測される情報のリストに基づき、修正される情報のリストを生成するステップと、
−  前記メッシュ内で前記修正される情報のリストのみをブロードキャストするステップとをさらに含むことを特徴とする方法によって達成される。
【００１４】
本発明の第１の応用例では、修正されるリストには、ＵＥが位置するメッシュ内でＵＥによって予測されない情報のみを含む。
【００１５】
本発明の第２の応用例では、修正されるリストには、ＵＥが位置するメッシュ内でＵＥによって予測されるが、前記ＵＥによって検出可能でない情報を含まない。
【００１６】
好ましくは、ＵＥが位置するメッシュＭｉ（ｉ＝１〜ｎ）内で送信する情報のリストの予測は、
−  メッシュＭｊ（ｊ＝１〜ｉ）内の基地局によって以前ブロードキャストされた情報のリストに存在するオペレータ及び／又はＲＡＴ及び／又は無線周波数の発生数を算出するステップと、
−  前記発生数の閾値Ｔを定義するステップと、
−  発生数が閾値Ｔを超える場合に、前記メッシュＭｉ内でブロードキャストされる修正された情報のリストに、前記オペレータ及び／又はＲＡＴ及び／又は周波数を含めるステップとを含む。
【００１７】
好ましくは、発生数が、閾値Ｔよりも大きい場合、かつ前記オペレータ及び／又はＲＡＴ及び／又は周波数が、メッシュＭｉ（ｉ＝１〜ｎ）に対して事前定義された位置に存在する場合に、オペレータ及び／又はＲＡＴ及び／又は無線周波数は存在すると予測される。
【００１８】
例えば、周波数が、前記メッシュＭｉ（ｉ＝１〜ｎ）の左側及び右側に位置するメッシュ内で利用可能である場合、前記周波数は、前記メッシュＭｉ（ｉ＝１〜ｎ）で利用可能であると予測される。
【００１９】
エラーの伝達を回避するために、基地局は、複数の基準メッシュを地理的エリアに周期的に伝達する。
【００２０】
伝達の周期は、コグニティブパイロットチャネルのデコーディングの信頼性に応じて選択される。
【００２１】
上記の概要及び以下の詳細な説明は、以下に示す本発明の好適な実施態様を示す添付図面と併せて読むことによって、よりよく理解される。
【図面の簡単な説明】
【００２２】
【図１】本発明による方法が実施されるエリアを概略的に表す図である。
【図２】本発明によるＣＰＣ送信プロセスのステップを示すフローチャートである。
【図３】本発明による予測プロセスのステップを示すフローチャートである。
【発明を実施するための形態】
【００２３】
本発明は、少なくとも１つの無線電気通信網によってカバーされる連続する基本メッシュの数であるｎに分割され、携帯電話機、ＰＤＡ又はノート型パーソナルコンピュータのようなコグニティブ受信機が、ネットワーク内で通信するために最も都合のよいオペレータ、ＲＡＴ及び周波数を選択できるようにするために、コグニティブパイロットチャネルが、前記地理的エリア２内で利用可能なオペレータ、無線アクセス技術（ＲＡＴ）及び無線周波数に関する情報をブロードキャストする基地局４によって使用される地理的エリア２内で実施される場合に記載される。
【００２４】
図１に示すように、地理的エリア２は、各メッシュＭｉ（ｉ＝１〜３６）内で利用可能なオペレータ、アクセス技術及び無線周波数に関する情報のリストを伝達するコグニティブパイロットチャネル（ＣＰＣ）を送信する基地局４によってカバーされるｎ＝３６の連続している基本メッシュに分割される。
【００２５】
基地局４は、地理的エリア２内で基準メッシュＭｒを定義する手段と、前記基準メッシュＭｒ内で送信する情報の基準リストを定義する手段と、前記基準メッシュＭｒ内で前記基準リストをブロードキャストする手段とを含む。前記基地局は、前記ＵＥが位置するメッシュＭｉ（ｉ＝１〜３６）内でブロードキャストされる情報のリストを予測する予想モジュールと、予測される情報のリストに基づき、修正される情報のリストを生成する手段と、前記ＵＥが位置するメッシュＭｉ（ｉ＝１〜３６）内で前記修正される情報のリストのみをブロードキャストする手段とを備える。
【００２６】
基地局４に位置する処理モジュールは、情報の基準リストを定義する手段と、前記情報の基準リストを、基準メッシュＭｒに関連付ける手段と、識別子を前記基準メッシュＭｒに関連付ける手段とを含む。
【００２７】
基地局４は、さらに、ＵＥが位置するメッシュＭｉ（ｉ＝１〜３６）内で前記ＵＥによって予測されない情報のみを含み、かつＵＥによって予測されるが前記メッシュＭｉ（ｉ＝１〜３６）内で前記ＵＥによって検出可能でない情報を含まない、修正されるリストを生成するために、予測されたリストをフィルタリングする手段を備える。
【００２８】
ユーザ装置も、前記メッシュＭｉ（ｉ＝１〜３６）内でブロードキャストされる情報のリストを予測する予測モジュールを含む。前記予測モジュールは、ＵＥが位置するメッシュＭｉ（ｉ＝１〜３６）内で前記ＵＥによって予測されない情報のみを含み、かつＵＥによって予測されるが前記メッシュＭｉ（ｉ＝１〜３６）内で前記ＵＥによって検出可能でない情報を含まない、修正される情報のリストを算出する。
【００２９】
図２は、基地局４からメッシュＭｉ（ｉ＝１〜３６）へのＣＰＣの送信のステップを示す。
【００３０】
最初に、各メッシュＭｉ（ｉ＝１〜３６）内で利用可能なオペレータ、無線アクセス技術及び通信周波数を示す情報を送信する前に、基地局４は、ステップ１０で基準メッシュＭｒに、地理的エリア２で利用可能なオペレータ、無線アクセス技術及び通信周波数を示す情報の完全なリストを送信する。
【００３１】
ステップ１２で、基地局４は、連続したメッシュへに対する２つの連続した情報の送信を隔てる情報伝送遅延Ｄを設定する。値Ｄは、地理的エリア２の大きさ及びその内部の伝送条件によって決まる。
【００３２】
ステップ１４で、基地局４の処理モジュールは、期間Ｄが経過したか否かを確認する。
【００３３】
期間Ｄが経過した場合（矢印１６）、基地局４は、ステップ１８で、情報を現在受信しているメッシュＭｉ（ｉ＝１〜３６）にその情報の完全なリストを再送信する。
【００３４】
ステップ２０で、処理モジュールは、情報のリストを受信するメッシュの番号を増加させ、ステップ１４から工程を繰り返す。
【００３５】
期間Ｄが経過しなかった場合（矢印３０）、ステップ３２で、基地局４の予測モジュールは、ＵＥが位置するメッシュＭｉ（ｉ＝１〜３６、かつｉはｒに等しくない）内でブロードキャストする情報を予測する。この予測操作は、ＵＥによって同時に実行される。
【００３６】
ステップ３４で、基地局４の処理モジュールは、予測された情報のリストを、前記メッシュＭｉ（ｉ＝１〜３６、かつｉはｒに等しくない）に伝送された実際の情報のリストと比較する。
【００３７】
前記実際の情報のリストは、地理的エリア２内でネットワークの配置の段階において処理モジュールに供給されたことに注目すべきである。
【００３８】
予測されたリストが、実際のリストと同一である場合、処理モジュールは、メッシュＭｉ（ｉ＝１〜３６、かつｉはｒに等しくない）に送信されるリストは予測リストであるとみなす。
【００３９】
この場合に、予測されるリストがＵＥによっても予測されるので、基地局４は、メッシュＭｉ（ｉ＝１〜３６、かつｉはｒに等しくない）にいかなるリストも伝送しない。
【００４０】
その他の場合には、ステップ３６で、処理モジュールは、ＵＥが位置するメッシュ内でＵＥによって予測されない情報のみを含む修正される情報のリストを生成する。
【００４１】
次に、基地局４は、前記メッシュＭｉ（ｉ＝１〜３６、かつｉはｒに等しくない）内で前記修正される情報のリストをブロードキャストする。
【００４２】
本発明のもう１つの実施形態において、処理モジュールは、予測されたリストから、ＵＥが位置するメッシュＭｉ（ｉ＝１〜３６、かつｉはｒに等しくない）内でＵＥによって検出可能でない予測される情報を抜き取る。
【００４３】
基地局４は、前記メッシュＭｉ（ｉ＝１〜３６、かつｉはｒに等しくない）内で前記修正された情報のリストをブロードキャストする。
【００４４】
ステップ２０で処理モジュールは、ｉを増加させ、工程をステップ１４から繰り返す。
【００４５】
図３は、メッシュＭｉ（ｉ＝１〜３６、かつｉはｒに等しくない）内で送信する修正される情報のリストの予測プロセスのステップを示すフローチャートである。ステップ４０で、予測モジュールは、各メッシュＭｊ（ｊ＝１〜ｉ）でブロードキャストする情報のリストを予測する。ステップ４２で、処理モジュールは、ｊをｉと比較する。
【００４６】
ｊ＜ｉならば、基地局の予測モジュールは、各メッシュＭｊ（ｊ＝１〜ｉ）に関して情報のリストを予測し（ステップ４４）、ｊを増加させ（ステップ４６）、ステップ４８で、前記予測されるリストを基地局４に返す。
【００４７】
ｊ＞ｉならば、基地局４の予測モジュールは、各メッシュＭｊ（ｊ＝１〜ｉ）に関して予測されるリストを結合、結合から、メッシュＭｉ（ｉ＝１〜３６、かつｉはｒに等しくない）内でブロードキャストする修正される情報のリストを生成し（ステップ５０）、かつステップ４８で、前記修正されるリストを基地局４に戻す。
【００４８】
全てのメッシュが、情報のリストを受信した時、基地局は、ブロードキャストのプロセスを停止する。
【図１】
2012526406.tif 000003
【図２】
2012526406.tif 000004
【図３】
2012526406.tif 000005
【国際調査報告】
2012526406.tif 000006
2012526406.tif 000007
2012526406.tif 000008